(57)【要約】【課題】本発明は、封止材を通じた封止性能の信頼度が向上したプラズマディスプレイパネルを提供するためのものである。【解決手段】本発明は、前面パネルと、背面パネルと、上記前面パネルと背面パネルとの間に介された中間構造物と、上記背面パネルと前面パネルとの間の空間を封止するための封止材と、相互交叉するように配列されたアドレス電極及び維持電極を含み、上記中間構造物は少なくとも１つの誘電層を備え、上記誘電層は複数の第１方向成分と、上記第１方向成分と交叉する複数の第２方向成分と、上記第１方向成分と第２方向成分の最外角を連結する縁部を備え、封止材はパネルと垂直な方向から見て、縁部の領域内にあるように形成されることを特徴とする。誘電層が複数の場合、複数の誘電層中、いずれかの１つの誘電層の縁部の幅は他の誘電層の縁部の幅より大きくすることができる。【選択図】図４ａ
2006318904.tif 000002
【特許請求の範囲】
【請求項１】
前面パネルと；
背面パネルと；
前記前面パネルと前記背面パネルとの間に介された中間構造物と；
前記背面パネルと前記前面パネルとの間の空間を封止するための封止材と；
相互に交叉するように配列されたアドレス電極及び維持電極と；
を備え、
前記中間構造物は、複数の誘電層を有し、
前記誘電層は、前記誘電層の外周部から所定の幅をもつ縁部と、前記縁部の内側に位置する複数の第１方向成分と、前記縁部の内側に位置し前記第１方向成分と交叉する複数の第２方向成分と、を有し、
前記複数の誘電層のうちいずれかの１つの誘電層の縁部の幅は、他の誘電層の縁部の幅より大きいことを特徴とする、プラズマディスプレイパネル。
【請求項２】
前記中間構造物は、第１誘電層及び第２誘電層を備え、
前記アドレス電極は前記前面パネルまたは前記後面パネル上に形成され、
前記維持電極は前記第１誘電層と前記第２誘電層との間に介されたことを特徴とする、請求項１記載のプラズマディスプレイパネル。
【請求項３】
前記封止材は、
前記第１誘電層及び前記第２誘電層のうち、前記背面パネル側に配置された誘電層の背面パネル側の縁部に沿って形成され、
前記第１誘電層及び前記第２誘電層のうち、前記前面パネル側に配置された誘電層の前面パネル側の縁部に沿って形成されていることを特徴とする、請求項２記載のプラズマディスプレイパネル。
【請求項４】
前記封止材は、低融点ガラスであることを特徴とする、請求項１〜３のいずれかに記載のプラズマディスプレイパネル。
【請求項５】
前記第１誘電層及び前記第２誘電層の縁部のうち、前記背面パネル方向の誘電層の縁部の幅は、前記前面パネル方向の誘電層の縁部の幅より大きいことを特徴とする、請求項２〜４のいずれかに記載のプラズマディスプレイパネル。
【請求項６】
前記第１誘電層及び前記第２誘電層の縁部のうち、前記背面パネル方向の誘電層の縁部の幅は、前記前面パネル方向の誘電層の縁部の幅より５ｍｍ〜８ｍｍ大きいことを特徴とする、請求項５に記載のプラズマディスプレイパネル。
【請求項７】
前記維持電極は、前記第１誘電層の縁部の幅と前記第２誘電層の縁部の幅の差だけ露出して外部回路と連結されることを特徴とする、請求項２〜６のいずれかに記載のプラズマディスプレイパネル。
【請求項８】
前記中間構造物は、前記前面パネルから前記背面パネルの方向への順に第１誘電層、第２誘電層及び第３誘電層を備え、
前記アドレス電極は、前記第２誘電層と第３誘電層との間に介され、
前記維持電極は前記第２誘電層と前記第１誘電層との間に介されたことを特徴とする、請求項１記載のプラズマディスプレイパネル。
【請求項９】
前記封止材は、
前記第１誘電層、前記第２誘電層及び前記第３誘電層のうち、前記背面パネル側に配置された誘電層の背面パネル側の縁部に沿って形成され、
前記第１誘電層、前記第２誘電層及び前記第３誘電層のうち、前記前面パネル側に配置された誘電層の前記前面パネル側の縁部に沿って形成されていることを特徴とする、請求項８記載のプラズマディスプレイパネル。
【請求項１０】
前記第１誘電層、前記第２誘電層及び前記第３誘電層のうち、前記第３誘電層の縁部の幅が最も大きくて、前記第１誘電層の縁部の幅が最も小さいことを特徴とする、請求項８または９に記載のプラズマディスプレイパネル。
【請求項１１】
前記第１誘電層及び前記第２誘電層の縁部の幅の差は５ｍｍ〜８ｍｍであり、前記第２誘電層及び前記第３誘電層の縁部の幅の差は５ｍｍ〜８ｍｍであることを特徴とする請求項１０記載のプラズマディスプレイパネル。
【請求項１２】
前記第１誘電層、前記第２誘電層及び前記第３誘電層は、低融点ガラスからなることを特徴とする、請求項８〜１１のいずれか記載のプラズマディスプレイパネル。
【請求項１３】
前記維持電極は、前記第１誘電層の縁部の幅と前記第２誘電層の縁部の幅の差だけ露出し、前記アドレス電極は、前記第２誘電層及び前記第３誘電層の縁部の幅の差だけ露出して外部回路と連結されることを特徴とする、請求項８〜１２のいずれかに記載のプラズマディスプレイパネル。
【請求項１４】
前面パネルと；
背面パネルと；
前記前面パネルと前記背面パネルとの間に介された中間構造物と；
前記背面パネルと前記前面パネルとの間の空間を封止するための封止材と；
相互交叉するように配列されたアドレス電極及び維持電極と；
を備え、
前記中間構造物は少なくとも１つの誘電層を備え、
前記誘電層は、前記誘電層の外周部から所定の幅をもつ縁部と、前記縁部の内側に複数の第１方向成分と、前記第１方向成分と交叉する複数の第２方向成分と、を有し、
前記封止材は、前記縁部の幅内に設けられることを特徴とする、プラズマディスプレイパネル。
【請求項１５】
前記中間構造物は、１つの誘電層からなり、
前記維持電極は、前記誘電層の前記前面パネル側の面に形成され、
前記前面パネルは、前記維持電極が形成された方向への幅が前記誘電層の幅より小さく形成されて、前記維持電極の少なくとも一端部が前記前面パネルの外周部より外側に露出し、前記縁部に位置することを特徴とする、請求項１４記載のプラズマディスプレイパネル。
【発明の詳細な説明】
【技術分野】
【０００１】
本発明は、プラズマディスプレイパネルに関し、より詳細には、封止材を通じた封止性能の信頼度が向上したプラズマディスプレイパネルに関する。
【背景技術】
【０００２】
プラズマ表示装置は、対向する２つの基板に各々電極を形成し、一定の間隔を有するように重ねて内部に放電ガスを注入した後に封止して形成するプラズマディスプレイパネル（Ｐｌａｓｍａ  Ｄｉｓｐｌａｙ  Ｐａｎｅｌ；ＰＤＰ、以下、パネルと混用する）を用いた平板型表示装置をいう。プラズマ表示装置は、プラズマディスプレイパネルを形成した後、パネルの各電極と連結される駆動回路など、画面の表示に必要とする要素を設置してなされる。
【０００３】
プラズマ表示装置は、多くの容積を占めるブラウン管（ＣＲＴ：Ｃａｔｈｏｄｅ  ｒａｙ  ｔｕｂｅ）表示装置に比べて薄く形成できるので、比較的少ない容積で軽い大型画面を表示するのに適している。また、プラズマ表示装置は、ＬＣＤのような他の平板型表示装置に比べてトランジスタのような能動素子を必要とせず、視野角が広くて、かつ、輝度が高いという一般的な特性を有する。
【０００４】
プラズマ表示パネルでは、画面を表示するための数多くの画素がマトリックス形態で配列される。プラズマ表示パネルにおいて、各画素はその駆動のための能動素子無しに単純に電極に電圧を印加する方式、即ち、受信マトリックス方式により駆動される。各電極を駆動するための電圧信号の形態によってプラズマ表示パネルは直流型と交流型とに区分でき、放電電圧が印加される２つの電極の配置によって対向型、面放電型などに分けられる。
【０００５】
交流型の場合、電極が誘電体層で覆われるので自然に静電容量を有することになり、電極を流れる電流が制限され、放電時のイオン衝撃から電極を保護することが容易になる。その結果、電極の寿命も長くなる利点がある。通常の交流面放電型プラズマ表示パネルにおいて、両基板中の一方の内側に形成された面放電型プラズマ表示パネルに、複数のアドレス電極が互いに平行するように垂直方向に形成される。表示電極と走査電極は、“維持電極”とよばれ、同じ基板や異なる基板の内側に、交互に互いに平行するように、水平方向に形成される。
【０００６】
表示電極はパネルの１側辺で互いに共通に連結される。画素を構成する各セルには１つの垂直電極であるアドレス電極と２つの水平電極、即ち、走査電極及び表示電極が関連して上から見て交叉することになる。前面発光プラズマ表示装置では維持電極が光路を妨害しないようにセルの維持電極を透明電極で形成し、導電性が良くて幅が狭いバス電極で透明電極を横に連結する構造を有することができる。
【０００７】
一方、マトリックス形態という画素の配列は、隔壁と電極の形成によりなされる。隔壁は、アドレス電極と並べて列方向のみに直線形態でなされたストライプ型、行方向と列方向からなり、１セルを区画する格子型等からなることができる。
【０００８】
以下、添付の図面を参照しながら従来の技術に対して説明する。
【０００９】
図１ａ及び図１ｂは、従来のプラズマディスプレイパネルを説明するための図面である。
【００１０】
図１ａ及び図１ｂを参照すると、従来のプラズマディスプレイパネルは、背面パネル１０、前面パネル２０及び上記背面パネル１０と前面パネル２０との間に介された中間構造物を備え、一般的にフリット（ｆｒｉｔ）と呼ばれる低融点ガラスからなる封止材４０を用いて上記背面パネル１０及び前面パネル２０を合着して封止された構造でなされることができる。
【００１１】
上記背面パネル１０は一般的に、絶縁性基板と、上記絶縁性基板上の前面パネル方向に所定間隔離隔配置されて互いに平行した複数のアドレス電極と、上記アドレス電極を備える絶縁性基板上の前面パネル方向に形成された絶縁層とを備える。
上記前面パネル２０は絶縁性基板を備え、上記背面パネルの方向に絶縁層を更に備えることもできる。
【００１２】
上記中間構造物３０は、上記背面パネルと前面パネルとの間に介されて一種の隔壁の役割を遂行して、複数の平行した第１方向成分３１及び上記第１方向成分３１と交叉する複数の平行した第２方向成分３２を備え、複数のセル（ｃｅｌｌ）を備える格子構造からなる。また、維持電極は、上記第１方向成分３１または第２方向成分３２の中に埋め込まれており、上記アドレス電極と交叉するように構成される。
【００１３】
一方、図１ａに図示されたようなプラズマディスプレイパネルは、上記背面パネル１０と前面パネル２０との間に中間構造物３０を配置した後、上記中間構造物３０の外角に上記封止材４０を塗布し、上記背面パネル１０及び前面パネル２０を合着して封止する。
【発明の開示】
【発明が解決しようとする課題】
【００１４】
しかし、従来のプラズマディスプレイによれば、その合着工程は単純であるが、上記中間構造物３０から電極端子を外部に引き出すことが困難であるという問題がある。
【００１５】
そこで、本発明は、このような問題に鑑みてなされたもので、その目的は、封止材を通じた封止性能の信頼度を向上させることが可能な、新規かつ改良されたプラズマディスプレイパネルを提供することにある。
【課題を解決するための手段】
【００１６】
上記課題を解決するために、本発明のある観点によれば、前面パネルと；背面パネルと；上記前面パネルと上記背面パネルとの間に介された中間構造物と；上記背面パネルと上記前面パネルとの間の空間を封止するための封止材と；相互に交叉するように配列されたアドレス電極及び維持電極と；を備え、上記中間構造物は、複数の誘電層を有し、上記誘電層は、上記誘電層の外周部から所定の幅をもつ縁部と、上記縁部の内側に位置する複数の第１方向成分と、上記縁部の内側に位置し上記第１方向成分と交叉する複数の第２方向成分と、を有し、上記複数の誘電層のうちいずれかの１つの誘電層の縁部の幅は、他の誘電層の縁部の幅より大きいことを特徴とする、プラズマディスプレイパネルが提供される。
【００１７】
また、上記中間構造物は、第１誘電層及び第２誘電層を備え、上記アドレス電極は上記前面パネルまたは上記後面パネル上に形成され、上記維持電極は上記第１誘電層と上記第２誘電層との間に介されてもよい。
【００１８】
上記封止材は、上記第１誘電層及び上記第２誘電層のうち、上記背面パネル側に配置された誘電層の背面パネル側の縁部に沿って形成され、上記第１誘電層及び上記第２誘電層のうち、上記前面パネル側に配置された誘電層の前面パネル側の縁部に沿って形成されてもよい。
【００１９】
また、上記封止材は、低融点ガラスであってもよい。
【００２０】
また、上記第１誘電層及び上記第２誘電層の縁部のうち、上記背面パネル方向の誘電層の縁部の幅は、上記前面パネル方向の誘電層の縁部の幅より大きくてもよい。
【００２１】
また、上記第１誘電層及び上記第２誘電層の縁部のうち、上記背面パネル方向の誘電層の縁部の幅は、上記前面パネル方向の誘電層の縁部の幅より５ｍｍ〜８ｍｍ大きくてもよい。
【００２２】
また、上記維持電極は、上記第１誘電層の縁部の幅と上記第２誘電層の縁部の幅の差だけ露出して外部回路と連結されてもよい。
【００２３】
また、上記中間構造物は、上記前面パネルから上記背面パネルの方向への順に第１誘電層、第２誘電層及び第３誘電層を備え、上記アドレス電極は、上記第２誘電層と第３誘電層との間に介され、上記維持電極は上記第２誘電層と上記第１誘電層との間に介されてもよい。
【００２４】
また、上記封止材は、上記第１誘電層、上記第２誘電層及び上記第３誘電層のうち、上記背面パネル側に配置された誘電層の背面パネル側の縁部に沿って形成され、上記第１誘電層、上記第２誘電層及び上記第３誘電層のうち、上記前面パネル側に配置された誘電層の上記前面パネル側の縁部に沿って形成されてもよい。
【００２５】
また、上記第１誘電層、上記第２誘電層及び上記第３誘電層のうち、上記第３誘電層の縁部の幅が最も大きくて、上記第１誘電層の縁部の幅が最も小さくてもよい。
【００２６】
また、上記第１誘電層及び上記第２誘電層の縁部の幅の差は５ｍｍ〜８ｍｍであり、上記第２誘電層及び上記第３誘電層の縁部の幅の差は５ｍｍ〜８ｍｍであってもよい。
【００２７】
また、上記第１誘電層、上記第２誘電層及び上記第３誘電層は、低融点ガラスからなってもよい。
【００２８】
また、上記維持電極は、上記第１誘電層の縁部の幅と上記第２誘電層の縁部の幅の差だけ露出し、上記アドレス電極は、上記第２誘電層及び上記第３誘電層の縁部の幅の差だけ露出して外部回路と連結されてもよい。
【００２９】
上記課題を解決するために、本発明の別の観点によれば、前面パネルと；背面パネルと；上記前面パネルと上記背面パネルとの間に介された中間構造物と；上記背面パネルと上記前面パネルとの間の空間を封止するための封止材と；相互交叉するように配列されたアドレス電極及び維持電極と；を備え、上記中間構造物は少なくとも１つの誘電層を備え、上記誘電層は、上記誘電層の外周部から所定の幅をもつ縁部と、上記縁部の内側に複数の第１方向成分と、上記第１方向成分と交叉する複数の第２方向成分と、を有し、上記封止材は、上記パネルと垂直する方向から見て上記縁部の幅内に設けられることを特徴とする、プラズマディスプレイパネルが提供される。
【００３０】
また、上記中間構造物は、１つの誘電層からなり、上記維持電極は、上記誘電層の上記前面パネル側の面に形成され、上記前面パネルは、上記維持電極が形成された方向への幅が上記誘電層の幅より小さく形成されて、上記維持電極の少なくとも一端部が上記パネルと垂直する方向から見て上記前面パネルの外周部より外側に露出し、上記縁部に位置してもよい。
【発明の効果】
【００３１】
以上説明したように、本発明によれば、封止材を通じた封止性能の信頼度を向上させることができる。
【発明を実施するための最良の形態】
【００３２】
以下に、添付した図面を参照しながら、本発明の好適な実施の形態について詳細に説明する。なお、本明細書及び図面において、実質的に同一の機能構成を有する発明特定事項については、同一の符号を付することにより重複説明を省略する。
【００３３】
まず、従来の技術の問題を克服するための試みとして図２ａ及び図２ｂに図示されたような比較例を考案することができる。このような例において、プラズマディスプレイパネルは、上記背面パネル１０と前面パネル２０との間に中間構造物３０を配置した後、上記中間構造物３０の第１方向成分３１及び第２方向成分３２の両終端部の一部分に亘って低融点ガラスからなる封止材４０を塗布して、上記背面パネル１０及び前面パネル２０を合着して封止する。しかし、このようなプラズマディスプレイパネルは、上記封止材４０の厚さが、上記中間構造物３０が形成された部分と形成されていない部分とで互いに異なるので、封止工程が完了した後、上記封止材４０の内部に残留応力が残って、今後、上記プラズマディスプレイパネルの封止性能の信頼性が落ちる問題がある。
【００３４】
図３は、本発明の一実施形態に係るプラズマディスプレイパネルを説明するための概略的な分解斜視図である。
【００３５】
図３を参照すると、本発明の一実施形態に係るプラズマディスプレイパネルは、対向配置された背面パネル１１０及び前面パネル１２０、そして上記背面パネル１１０と前面パネル１２０との間に介されて格子状からなる中間構造物１３０を備える構造からなることができる。また、上記背面パネル１１０及び前面パネル１２０のうち少なくとも１つに蛍光層が形成されている。例えば、背面パネル１１０上の上記前面パネル１２０方向には蛍光層（図示していない）が形成されている。
【００３６】
上記背面パネル１１０及び前面パネル１２０は、少なくとも絶縁性基板１１１、１２１を備えて、各々対向する方向に絶縁層１１３、１２３を更に備えることができる。
【００３７】
上記中間構造物１３０は、複数の平行した第１方向成分１３１及び上記第１方向成分１３１と交叉する第２方向成分１３２を備えて格子状の構造からなる。この際、上記第１方向成分１３１と第２方向成分１３２が交叉して複数のセル（Ｃｅｌｌ）１３５が形成される。また、上記中間構造物１３０は、上記背面パネル１１０及び前面パネル１２０のうちいずれかの１つと一体化することもできる。また、上記中間構造物１３０は一般的にフリット（Ｆｒｉｔ）と呼ばれる低融点ガラス及びこれの等価物からなることができるが、本発明にその材質を限るのではない。
【００３８】
一方、プラズマディスプレイパネルのプラズマ放電のためのアドレス電極１１２及び維持電極対１３３Ｘ、１３３Ｙは多様な形態で配置されることができる。
【００３９】
例えば、図示のように、上記背面パネル１１０及び前面パネル１２０のうちいずれかの１つの絶縁性基板１１１、１２１上に所定間隔離隔した複数のアドレス電極１１２が配置される。また、上記維持電極対１３３Ｘ、１３３Ｙは、上記中間構造物１３０の第１方向成分１３１及び第２方向成分１３２のうち上記アドレス電極１１２と交叉する方向の成分、例えば、上記第２方向成分１３２に埋め込まれた構造で配置される。即ち、上記維持電極対１３３Ｘ、１３３Ｙは上記アドレス電極１１２に交叉するように配置される。
【００４０】
また、図示してはいないが、上記アドレス電極１１２及び維持電極対１３３Ｘ、１３３Ｙの全てが上記中間構造物１３０に埋め込まれた構造で配置されることもできる。より詳細に説明すると、上記アドレス電極１３４は上記中間構造物１３０の第１方向成分１３１及び第２方向成分１３２のうちのいずれかの１つ、例えば、第１方向成分１３１に埋め込まれ、上記維持電極対１３３Ｘ、１３３Ｙは上記中間構造物１３０の第１方向成分１３１及び第２方向成分１３２のうちの他の１つ、例えば、第２方向成分１３２に埋め込まれて、上記アドレス電極１３４及び維持電極対１３３Ｘ、１３３Ｙが互いに交叉するように配置されることもできる。
【００４１】
図４ａは本発明の第１実施形態に係るプラズマディスプレイパネルを説明するための概略的な断面図であり、図４ｂは本発明の第１実施形態に係るプラズマディスプレイパネルの中間構造物を説明するための斜視図である。
【００４２】
図４ａ及び図４ｂを参照すると、本発明の第１実施形態に係るプラズマディスプレイパネルは、対向配置された背面パネル２１０及び前面パネル２２０、そして、上記背面パネル２１０と前面パネル２２０との間に介されて格子状からなる中間構造物２３０を備え、上記中間構造物２３０の上下の周り部に塗布された封止材２４０を通じて封止された構造からなることができる。即ち、上記封止材２４０は上記背面パネル２１０と前面パネル２２０との間の空間を封止するものである。
【００４３】
また、上記背面パネル２１０及び前面パネル２２０のうちの少なくともいずれかの１つ、例えば、背面パネル２１０の絶縁層２１３の上には蛍光層２５０が形成されている。また、上記封止材２４０は一般的にフリット（ｆｒｉｔ）と呼ばれる低融点ガラス及びこれの等価物からなることができるが、本発明にその材質を限るのではない。
【００４４】
上記背面パネル２１０は、上記前面パネル２２０の方向に少なくとも絶縁性基板２１１、上記絶縁性基板２１１の上に所定間隔で離隔して形成された複数のアドレス電極２１２、上記アドレス電極２１２が形成された絶縁性基板２１１の上に形成された絶縁膜２１３を備える。上記絶縁性基板２１１としては一般的にガラス基板が使われる。また、図示してはいないが、上記絶縁膜２１３の上に形成された保護膜を備えることもでき、上記保護膜は一般的に酸化マグネシウム（ＭｇＯ）からなる。
【００４５】
上記前面パネル２２０は少なくとも絶縁性基板２２１を備え、上記背面パネル２１０の方向に上記絶縁性基板２２１の上に形成された絶縁膜２２２を更に備えることもできる。
【００４６】
上記中間構造物２３０は、第１誘電層２３１、第２誘電層２３２及び上記第１誘電層２３１と第２誘電層２３２との間に介された維持電極対２３４（２３４Ｘ、２３４Ｙ）を備える。
【００４７】
上記第１誘電層２３１及び第２誘電層２３２は一般的な低融点ガラス（ｇｌａｓｓ）からなり、各々全て複数の平行した第１方向成分２３１Ａ、２３２Ａ及び上記第１方向成分２３１Ａ、２３２Ａと交叉する第２方向成分２３１Ｂ、２３２Ｂからなり、上記第１方向成分２３１Ａ、２３２Ａ及び第２方向成分２３１Ｂ、２３２Ｂの最外角は所定の幅を備える縁部２３１Ｃ、２３２Ｃに連結されている。
【００４８】
また、第１誘電層２３１及び第２誘電層２３２の第１方向成分２３１Ａ、２３２Ａ及び第２方向成分２３１Ｂ、２３２Ｂが交叉して形成される空間は互いに対応するように配置されることが好ましくて、上記空間はプラズマ放電がなされる放電セルとして作用する。
【００４９】
また、上記維持電極対２３４（２３４Ｘ、２３４Ｙ）は、上記第１誘電層２３１と第２誘電層２３２との間に介されて、上記背面パネル２１０のアドレス電極２１２と交叉するように配置される。
【００５０】
上記封止材２４０は、上記第１誘電層２３１の前面パネル２２０方向の縁部２３１Ｃ及び第２誘電層２３２の背面パネル２１０方向の縁部２３２Ｃに沿って形成されて、上記背面パネル２１０、前面パネル２２０及び中間構造物２３０を合着して、上記背面パネル２１０と前面パネル２２０との間の空間を封止する。封止材２４０は、縁部２３１Ｃの幅内に設けられる。例えば、図４ａにおいて絶縁膜２１３と第２誘電層２３２の間の封止材２４０は、縁部２３１Ｃの外周部から蛍光層２５０側の間に縁部２３１Ｃの幅Ｗ１の範囲内で配置されることができる。
【００５１】
一方、図４ｂに示すように、本発明の一実施の形態に係るプラズマディスプレイパネルの中間構造物２３０において、上記第１誘電層２３１及び第２誘電層２３２の縁部２３１Ｃ、２３２Ｃのうちいずれかの１つの幅は、他の１つの幅より大きいことが好ましい。好ましくは、上記第１誘電層２３１及び第２誘電層２３２の縁部２３１Ｃ、２３２Ｃのうち、上記背面パネル２１０方向の誘電層の縁部の幅が大きいことが好ましい。例えば、上記第２誘電層２３２の縁部２３２Ｃの幅Ｗ２が上記第１誘電層２３１の縁部２３１Ｃの幅Ｗ１より大きいことが好ましい。
【００５２】
また、上記第１誘電層２３１及び第２誘電層２３２の縁部２３１Ｃ、２３２Ｃの幅の差（Ｗ２−Ｗ１）は５ｍｍ〜８ｍｍであることが好ましい。これは、上記維持電極対２３４、２３４Ｘ、２３４Ｙの一部が外部に露出するようにして上記維持電極対２３４、２３４Ｘ、２３４Ｙが外部回路、例えば、ＦＰＣ（軟性回路基板、Ｆｌｅｘｉｂｌｅ  Ｐｒｉｎｔｅｄ  Ｃｉｒｃｕｉｔ  Ｂｏａｒｄ）、ＰＣＢ（印刷回路基板、Ｐｒｉｎｔｅｄ  Ｃｉｒｃｕｉｔ  Ｂｏａｒｄ）等とより容易に連結できるようにするためである。即ち、上記維持電極対２３４、２３４Ｘ、２３４Ｙは、上記第１誘電層２３１及び第２誘電層２３２の縁部２３１Ｃ、２３２Ｃの幅の差（Ｗ２−Ｗ１）だけ露出して、上記維持電極対２３４、２３４Ｘ、２３４Ｙは露出した部分を通じて外部回路と連結されるものである。
【００５３】
図５ａは、本発明の第２実施形態に係るプラズマディスプレイパネルを説明するための概略的な断面図であり、図５ｂは本発明の第２実施形態に係るプラズマディスプレイパネルの中間構造物を説明するための斜視図である。
【００５４】
図５ａ及び図５ｂを参照すると、本発明の第２実施形態に係るプラズマディスプレイパネルは、対向配置された背面パネル３１０及び前面パネル３２０、そして、上記背面パネル３１０と前面パネル３２０との間に介されて、格子状からなる中間構造物３３０を備え、上記中間構造物３３０の上・下の周り部に塗布された封止材３４０を通じて封止された構造からなることができる。また、上記背面パネル３１０及び前面パネル３２０のうちの少なくともいずれかの１つ、例えば、背面パネル３１０の絶縁層上には蛍光層３５０が形成されている。
【００５５】
上記背面パネル３１０及び前面パネル３２０は、少なくとも絶縁性基板３１１、３２１を備え、互いに対向する方向に上記絶縁性基板３１１、３２１上に形成された絶縁膜３１２、３２２を更に備えることができる。
【００５６】
上記中間構造物３３０は、上記前面パネル３２０方向から背面パネル３１０の方向への順に、第１誘電層３３１、第２誘電層３３２及び第３誘電層３３３を備える。また、上記中間構造物３３０は上記第１誘電層３３１と第２誘電層３３２との間に介された維持電極対３３４及び上記第２誘電層３３２と第３誘電層３３３との間に介されたアドレス電極３３５を備える。
【００５７】
上記第１誘電層３３１、第２誘電層３３２及び第３誘電層３３３は、一般的な低融点ガラス（ｇｌａｓｓ）からなり、各々全て複数の平行した第１方向成分３３１Ａ、３３２Ａ、３３３Ａ及び上記第１方向成分３３１Ａ、  ３３２Ａ、３３３Ａと交叉する第２方向成分３３１Ｂ、３３２Ｂ、３３３Ｂからなり、上記第１方向成分３３１Ａ、３３２Ａ、３３３Ａ及び第２方向成分３３１Ｂ、３３２Ｂ、３３３Ｂの最外角は所定の幅を備える縁部３３１Ｃ、３３２Ｃ、３３３Ｃに連結されている。
【００５８】
また、第１誘電層３３１、第２誘電層３３２及び第３誘電層３３２の第１方向成分３３１Ａ、３３２Ａ、３３３Ａ及び第２方向成分３３１Ｂ、３３２Ｂ、３３３Ｂが交叉して形成される空間は互いに対応するように配置されることが好ましくて、上記空間はプラズマ放電がなされる放電セル（Ｄｉｓｃｈａｒｇｅ  Ｃｅｌｌ）として作用する。
【００５９】
また、上記維持電極対３３４（３３４Ｘ、３３４Ｙ）は、上記第１誘電層３３１と第２誘電層３３２との間に介され、上記アドレス電極３３５は上記第２誘電層３３２と第３誘電層３３３との間に介される。この際、上記維持電極対３３４（３３４Ｘ、３３４Ｙ）は、上記第１誘電層３３１及び第２誘電層３３２の第１方向成分３３１Ａ、３３２Ａ及び第２方向成分３３１Ｂ、３３２Ｂのうちいずれか１つと平行するように配列され、上記アドレス電極３３５は上記第２誘電層３３２及び第３誘電層３３３の第１方向成分３３２Ａ、３３３Ａ及び第２方向成分３３２Ｂ、３３３Ｂのうち、他の１つと平行するように配列される。即ち、上記維持電極対３３４、３３４Ｘ、３３４Ｙ及びアドレス電極３３５は互いに交叉する形態で配列されるものである。
【００６０】
上記封止材３４０は、上記第１誘電層３３１の前面パネル３２０方向の縁部３３１Ｃ及び上記第３誘電層３３３の背面パネル２１０方向の縁部３３３Ｃに沿って形成され、上記背面パネル３１０、前面パネル３２０及び中間構造物３３０を合着して、上記背面パネル３１０と前面パネル３２０との間の空間を封止する。
【００６１】
一方、図５ｂに示すように、本発明の第２実施形態に係るプラズマディスプレイパネルの中間構造物３３０は、上記第１誘電層３３１、第２誘電層３３２及び第３誘電層３３３のうち、上記第３誘電層３３３の縁部３３３Ｃの幅Ｗ５が最も大きくて、第１誘電層３３１の縁部３３１Ｃの幅Ｗ３が最も小さな構造でなされることが好ましい。即ち、上記中間構造物３３０は上記第１誘電層３３１、第２誘電層３３２及び第３誘電層３３３のうち、上記背面パネル３１０方向の誘電層の縁部の幅が最も大きくて、上記前面パネル３２０方向の誘電層の縁部の幅が最も小さな構造からなることができる。
【００６２】
また、上記第１誘電層３３１及び第２誘電層３３２の縁部３３１Ｃ、３３２Ｃの幅の差（Ｗ４−Ｗ３）は５ｍｍ〜８ｍｍであることが好ましくて、上記第２誘電層３３２及び第３誘電層３３３の縁部３３２Ｃ、３３３Ｃの幅の差（Ｗ５−Ｗ４）も５ｍｍ〜８ｍｍであることが好ましい。これは  上記維持電極対３３４（３３４Ｘ、３３４Ｙ）及びアドレス電極３３５の一部が外部に露出するようにして上記維持電極対３３４（３３４Ｘ、３３４Ｙ）が外部回路、例えば、ＦＰＣ（軟性回路基板、Ｆｌｅｘｉｂｌｅ  Ｐｒｉｎｔｅｄ  Ｃｉｒｃｕｉｔｓ  Ｂｏａｒｄ）、ＰＣＢ（印刷回路基板、Ｐｒｉｎｔｅｄ  Ｃｉｒｃｕｉｔ  Ｂｏａｒｄ）等とより容易に連結できるようにするためである。即ち、上記維持電極対３３４（３３４Ｘ、３３４Ｙ）は、上記第１誘電層３３１及び第２誘電層３３２の縁部３３１Ｃ、３３２Ｃの幅の差（Ｗ４−Ｗ３）だけ露出し、上記アドレス電極３３５は上記第２誘電層３３２及び第３誘電層３３３の縁部３３２Ｃ、３３３Ｃの幅の差（Ｗ５−Ｗ４）だけ露出し、上記維持電極対３３４、３３４Ｘ、３３４Ｙ及びアドレス電極３３５は露出した部分を通じて外部回路と連結されるのである。
【００６３】
このように、本発明の第１及び第２実施形態に係るプラズマディスプレイパネルは、中間構造物２３０が格子状の第１誘電層２３１及び第２誘電層２３２を備え、中間構造物３３０が第１誘電層３３１、第２誘電層３３２及び第３誘電層３３３を備える。そして上記第１方向成分２３１Ａ、２３２Ａ、３３１Ａ、３３２Ａ、３３３Ａ、第２方向成分２３１Ｂ、２３２Ｂ、３３１Ｂ、３３２Ｂ、３３３Ｂ及び上記第１方向成分２３１Ａ、２３２Ａ、３３１Ａ、３３２Ａ、３３３Ａと第２方向成分２３１Ｂ、２３２Ｂ、３３１Ｂ、３３２Ｂ、３３３Ｂの最外角を連結する縁部２３１Ｃ、２３２Ｃ、３３１Ｃ、３３２Ｃ、３３３Ｃを備え、上記縁部２３１Ｃ、２３２Ｃ、３３１Ｃ、３３２Ｃ、３３３Ｃに沿って封止材２４０、３４０が形成されて、上記背面パネル２１０、３１０と前面パネル２２０、３２０との間の空間を封止する構造からなるので、中間構造物２３０、３３０による封止材２４０、３４０の厚さの差により発生する封止性能低下を防止することができる。
【００６４】
また、各誘電層２３１、２３２、３３１、３３２、３３３の縁部２３１Ｃ、２３２Ｃ、３３１Ｃ、３３２Ｃ、３３３Ｃの幅Ｗ１、Ｗ２、Ｗ３、Ｗ４、Ｗ５を異なるようにして上記維持電極対２３４、３３４及びアドレス電極２１２、３３５を外部に簡単に引出して外部回路との連結をより容易にすることができる。
【００６５】
図６ａ及び図６ｂは、中間構造物の誘電層が１層からなった本発明の第３実施形態におけるパネルの断面図及び誘電層斜視図である。
【００６６】
この実施の形態を図４ａ及び図４ｂと比較しながら説明すると、図６ａには図４ａにある２つの誘電層中に前面側誘電層２３１のない状態をなしている。従って、パネル全体の構成が簡単になりながら中間構造物の形成がより容易になることができる。
【００６７】
図６ｂには、図４ｂと比較する際、前面側誘電層が除去されて全体が１つの誘電層４３２のみを備える。この１つの誘電層４３２の前面には維持電極対４３４（４３４Ｘ、４３４Ｙ）が形成される。この中間構造物４３０をなす誘電層４３２も第１成分４３２Ａ及び第２成分４３２Ｂと、これらの成分の周り終端部を連結する少なくとも一定以上の幅を有する縁部４３２Ｃと、を備える。維持電極対４３４（４３４Ｘ、４３４Ｙ）の終端はＦＰＣとの連結が容易になるように誘電層の縁部に位置することになる。そして、封止材４４０も前面基板及び後面基板との封止を容易にするために縁部の幅と重なって位置することになる。維持電極の少なくとも１つの終端部は封止材の外に位置することになる。また蛍光層４５０は、背面パネル４１０と中間構造物４３０の間に配置される。
【００６８】
背面パネル４１０は、前面パネル４２０の方向に少なくとも絶縁性基板４１１、上記絶縁性基板４１１の上に所定間隔で離隔して形成された複数のアドレス電極４１２、上記アドレス電極４１２が形成された絶縁性基板４１１の上に形成された絶縁膜４１３を備える。
【００６９】
前面パネル４２０は少なくとも絶縁性基板４２１を備え、上記背面パネル４１０の方向に上記絶縁性基板４２１の上に形成された絶縁膜４２２を更に備えることもできる。
【００７０】
以上、添付図面を参照しながら本発明の好適な実施形態について説明したが、本発明はかかる例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【００７１】
本発明は、プラズマディスプレイに適用可能である。
【図面の簡単な説明】
【００７２】
【図１ａ】従来のプラズマディスプレイパネルを説明するための側断面図である。
【図１ｂ】従来のプラズマディスプレイパネルを説明するための平面図である。
【図２ａ】本発明と比較されるプラズマディスプレイパネル比較例を説明する側断面図である。
【図２ｂ】本発明と比較されるプラズマディスプレイパネル比較例を説明する平面図である。
【図３】本発明の一実施形態に係るプラズマディスプレイパネルを説明するための概略的な分解斜視図である。
【図４ａ】本発明の第１実施形態に係るプラズマディスプレイパネルを説明するための概略的な断面図である。
【図４ｂ】本発明の第１実施形態に係るプラズマディスプレイパネルの中間構造物を説明するための斜視図である。
【図５ａ】本発明の第２実施形態に係るプラズマディスプレイパネルを説明するための概略的な断面図である。
【図５ｂ】本発明の第２実施形態に係るプラズマディスプレイパネルの中間構造物を説明するための斜視図である。
【図６ａ】本発明の第３実施形態に係るプラズマディスプレイパネルを説明するための概略的な断面図である。
【図６ｂ】本発明の第３実施形態に係るプラズマディスプレイパネルの中間構造物を説明するための斜視図である。
【符号の説明】
【００７３】
１１０、２１０、３１０、４１０    背面パネル
１２０、２２０、３２０、４２０    前面パネル
１３０、２３０、３３０、４３０    中間構造物
２３１、３３１    第１誘電層
２３２、３３２    第２誘電層
３３３    第３誘電層
１１３、２１２、３３５    アドレス電極
１３３、２３４、３３４    維持電極
２４０、３４０、４４０    封止材
２５０、３５０、４５０    蛍光層
【図１ａ】
2006318904.tif 000003
【図１ｂ】
2006318904.tif 000004
【図２ａ】
2006318904.tif 000005
【図２ｂ】
2006318904.tif 000006
【図３】
2006318904.tif 000007
【図４ａ】
2006318904.tif 000008
【図４ｂ】
2006318904.tif 000009
【図５ａ】
2006318904.tif 000010
【図５ｂ】
2006318904.tif 000011
【図６ａ】
2006318904.tif 000012
【図６ｂ】
2006318904.tif 000013